(57)【要約】液体と固体のごみを表面（２５）から捕集できる汚れ清掃装置を含んだ、汚れのある時に用いる装置（１１）。汚れ清掃装置はさらに、ごみを集めたあと表面を洗浄する洗浄剤（２４）及び／または殺菌剤を含有した容器部材（１４）を含む。汚れ清掃装置は単純な操作のために設計され、汚れを掃除するための複数の品目を必要としない。
2007518517.tif 000002
【特許請求の範囲】
【請求項１】
清掃パッド部材と；
前記清掃パッド部材に結合した少なくとも１つのスクィジー部材と、
前記清掃パッド部材に結合した少なくとも１つの容器部材と、を備えることを特徴とする汚れ清掃装置。
【請求項２】
請求項１に記載の汚れ清掃装置において、清掃パッド部材は吸収材から成ることを特徴とする汚れ清掃装置。
【請求項３】
請求項１に記載の汚れ清掃装置において、さらに補助手段を含むことを特徴とする汚れ清掃装置。
【請求項４】
請求項１に記載の汚れ清掃装置において、清掃パッド部材は不織布から作られることを特徴とする汚れ清掃装置。
【請求項５】
請求項１に記載の汚れ清掃装置において、容器部材は清掃パッド部材に取り付けることを特徴とする汚れ清掃装置。
【請求項６】
請求項１に記載の汚れ清掃装置において、容器部材は清掃パッド内にあることを特徴とする汚れ清掃装置。
【請求項７】
請求項１に記載の汚れ清掃装置において、容器部材は液体を含有することを特徴とする汚れ清掃装置。
【請求項８】
請求項７に記載の汚れ清掃装置において、容器部材中の液体は消毒剤であることを特徴とする汚れ清掃装置。
【請求項９】
請求項７に記載の汚れ清掃装置において、容器部材中の液体は洗浄剤であることを特徴とする汚れ清掃装置。
【請求項１０】
請求項１に記載の汚れ清掃装置において、スクィジー部材は清掃パッド部材に取り付けることを特徴とする汚れ清掃装置。
【請求項１１】
請求項１に記載の汚れ清掃装置において、スクィジー部材は天然または合成ゴム材から作ることを特徴とする汚れ清掃装置。
【請求項１２】
請求項１に記載の汚れ清掃装置において、スクィジー部材は清掃パッド部材の前方に取り付けることを特徴とする汚れ清掃装置。
【請求項１３】
請求項１２に記載の汚れ清掃装置において、スクィジー部材は凹形状であることを特徴とする汚れ清掃装置。
【請求項１４】
請求項１２に記載の汚れ清掃装置において、スクィジー部材は清掃パッド部材の上方に延びていることを特徴とする汚れ清掃装置。
【請求項１５】
請求項１に記載の汚れ清掃装置において、少なくとも１つのスクィジー部材は清掃パッド部材の底部に取り付けることを特徴とする汚れ清掃装置。
【請求項１６】
請求項１５に記載の汚れ清掃装置において、スクィジー部材は清掃パッド部材の長さに亘ることを特徴とする汚れ清掃装置。
【請求項１７】
請求項１６に記載の汚れ清掃装置において、スクィジー部材は円筒形部分を含むことを特徴とする汚れ清掃装置。
【請求項１８】
請求項３に記載の汚れ清掃装置において、付属部材と係合することを特徴とする汚れ清掃装置。
【請求項１９】
請求項１８に記載の汚れ清掃装置において、付属部材はヘッドを含むことを特徴とする汚れ清掃装置。
【請求項２０】
請求項１９に記載の汚れ清掃装置において、付属部材は枢動ヘッドを有することを特徴とする汚れ清掃装置。
【請求項２１】
請求項１９に記載の汚れ清掃装置において、清掃パッド部材はヘッドと係合することを特徴とする汚れ清掃装置。
【請求項２２】
清掃パッド部材と；
前記清掃パッド部材に結合した少なくとも２つのスクィジー部材と、
前記清掃パッド部材に結合した少なくとも１つの容器部材と、を備えることを特徴とする汚れ清掃装置。
【請求項２３】
請求項２２に記載の汚れ清掃装置において、清掃パッド部材は吸収材から成ることを特徴とする汚れ清掃装置。
【請求項２４】
請求項２２に記載の汚れ清掃装置において、スクィジー部材は清掃パッド部材に取り付けることを特徴とする汚れ清掃装置。
【請求項２５】
請求項２２に記載の汚れ清掃装置において、スクィジー部材は天然または合成ゴム材から作ることを特徴とする汚れ清掃装置。
【請求項２６】
請求項２２に記載の汚れ清掃装置において、１つのスクィジー部材は清掃パッド部材の前方に取り付け、第２のスクィジー部材は清掃パッド部材の後方に取り付けることを特徴とする汚れ清掃装置。
【請求項２７】
請求項２５に記載の汚れ清掃装置において、スクィジー部材は凹形状であることを特徴とする汚れ清掃装置。
【請求項２８】
請求項２７に記載の汚れ清掃装置において、凹形状のスクィジー部材は清掃パッド部材の上に延びていることを特徴とする汚れ清掃装置。
【請求項２９】
請求項２２に記載の汚れ清掃装置において、スクィジー部材は清掃パッド部材の底部に取り付けることを特徴とする汚れ清掃装置。
【請求項３０】
請求項２９に記載の汚れ清掃装置において、スクィジー部材は清掃パッド部材の長さに亘ることを特徴とする汚れ清掃装置。
【請求項３１】
請求項２９に記載の汚れ清掃装置において、スクィジー部材は円筒形部分を含むことを特徴とする汚れ清掃装置。
【請求項３２】
請求項２９に記載の汚れ清掃装置において、容器部材は各スクィジー部材間に位置することを特徴とする汚れ清掃装置。
【請求項３３】
請求項１の汚れ清掃装置を用いた単一装置により表面の汚れを吸収しかつ表面を洗浄することを特徴とする方法。
【請求項３４】
単一装置を用いて表面の汚れを吸収しかつ表面を洗浄する、以下を含むことを特徴とする方法：
少なくとも１つのスクィジーと少なくとも１つの容器部材とを具えた清掃パッド部材を汚れのある表面に置くこと；
スクィジー部材が前方に位置した状態で装置を汚れに向けて動かし、固体のごみを集めること；
液体のごみを清掃パッド部材で捕集すること。
【請求項３５】
請求項３４に記載の方法において、汚れ清掃装置は洗浄液体を含有する容器部材を含み、容器部材は、汚れが除去されると、作動される際に洗浄溶液を放出して表面を洗浄することを特徴とする方法。
【請求項３６】
請求項３４に記載の方法において、汚れ清掃装置は消毒用液体を含有する容器部材を含み、容器部材は、汚れが除去されると、作動される際に洗浄溶液を放出して表面を洗浄することを特徴とする方法。
【請求項３７】
請求項３４に記載の方法において、汚れ清掃装置は少なくとも２つのスクィジーを含み、１つが清掃パッド部材の前方部分に、１つが清掃パッド部材の後方部分にあることを特徴とする方法。
【請求項３８】
請求項３７に記載の方法において、汚れ清掃装置はスクィジー間に配置した容器部材を含むことを特徴とする方法。
【請求項３９】
請求項３４に記載の方法において、汚れ清掃装置は付属部材と係合し、付属部材は本装置と共同して用いられて表面から汚れを清掃することを特徴とする方法。
【請求項４０】
請求項３９に記載の方法において、付属部材は汚れ清掃装置と係合する枢動ヘッドを有することを特徴とする方法。
【請求項４１】
請求項４０に記載の方法において、汚れ清掃装置が付属部材の枢動ヘッドと係合して角度をなし、枢動ヘッドの一方の側にスクィジー部分があり、枢動ヘッドの他方の側に容器部分があるようにする方法であって；
汚れ清掃装置を表面に置き、スクィジー部材を前方にして装置を汚れに向けて動かして固体ごみを集め；
液体のごみを清掃パッド部材で捕集し；
付属部材の枢動ヘッドを回動し、容器部分を表面と接触させて容器部分を破り容器部材の含有物質を表面に放出させ；そして
含有物を清掃パッド部材で捕集する；ことを特徴とする方法。
【請求項４２】
請求項４１に記載の方法において、容器部材の含有物質は洗浄剤であることを特徴とする方法。
【請求項４３】
請求項４１に記載の方法において、容器部材の含有物質は消毒剤であることを特徴とする方法。
【発明の詳細な説明】
【技術分野】
【０００１】
関連出願の引用：なし
連邦支援の研究開発に関する記載：なし
本発明は液体や固体のごみ集めに使用可能な汚れ清掃装置に関する。特に本発明は、固体のごみを集めかつ液体のごみも有効に吸収できるようにスクィジー（squeegee）を取り付けた、複数の品目で汚れを清掃する必要のない清掃パッドに関する。汚れ清掃装置はさらに各種液体を含有する容器部材も含み、ごみを除去したあと汚染領域を洗浄または消毒することができる。
【背景技術】
【０００２】
清掃パッドはよく知られている。これらは米国特許第３，２２１，３５１号に開示されている。
液体洗浄剤を含有した破裂するカプセルを具える清掃シートは、米国特許第４，９２９，２１４号と２，９８０，９４１号とに開示されている。
スクィジー付き自動風防清掃装置は、米国特許第４，８０７，３２２号と６，０９２，２５５号とに開示されている。
【発明の開示】
【発明が解決しようとする課題】
【０００３】
先行技術はスクィジー装置だけの汚れ清掃装置を提供していない。先行技術はまた、液体を含有した破裂する容器部材を含むことにより、汚れ領域を洗浄及び／または消毒するようにされたスクィジー付きの汚れ清掃装置も提供していない。
【０００４】
そこで、液体のごみと混じり合っても構わない、固体のごみを集めることのできる汚れ清掃装置が必要となる。この種の汚れは店舗で、特に液体を含み、落ちると液体と固体のごみに帰する品物を提供する店舗で頻繁に発生する。これは、固体のごみを手で扱ってそれを取り除き、それから別途に液体のごみを吸収せねばならぬ買い物客や従業員にとって危険な状態である。そこでさらに、一回の使用を意図し取り替えられるようにして相互汚染のない、すなわちその使用後に汚れ清掃装置を洗浄する必要のない汚れ清掃装置が必要となる。スクィジー付きの汚れ清掃装置は有益であるばかりでなく、これを、消毒や洗浄用の液体を含有した容器部材と組み合せて、汚れの領域を同じパッドで洗浄できるようにすればなおさら有用となる。
【課題を解決するための手段】
【０００５】
したがって本発明の目的は：
ａ）液体や固体のごみを集めることのできる使い捨ての汚れ清掃装置を提供すること、
ｂ）固体や液体の汚れを捕集できる前述タイプの使い捨て汚れ清掃装置を提供し、個々の手順の必要なく汚れ領域を清掃すること。
ｃ）洗浄及び／または消毒用の液体を含有した破れる容器部材を含む前述タイプの使い捨て汚れ清掃装置を提供すること、
ｄ）各使用後に取り替える前述タイプの交換可能な汚れ清掃装置を提供すること、にある。
【発明を実施するための最良の形態】
【０００６】
前述の目的は本発明の交換可能な汚れ清掃装置により達成され、かつこれにより先行技術の欠点も解消される。本発明の交換可能な汚れ清掃装置は、一実施形態では、吸収材から作ることのできる清掃パッド部材を含み、清掃パッド部材には少なくとも１つのスクィジー部材と少なくとも１つの容器部材とが結合してある。汚れ清掃装置はさらに付属部材を含むことができる。汚れ清掃装置は清掃パッド部材に結合された少なくとも１つのスクィジー部材を持つ。液体を含有する少なくとも１つの容器部材は清掃パッド部材の中にあるか、またはこれに取り付けられる。容器部材は汚れ清掃装置に圧力がかかると破れるように構成され装置される。付属部材は汚れ清掃装置を支持するように構成かつ装置され、清掃パッド部材と、スクィジー部材と、容器部材とを組み合せてまたは個別に使用できるようにする。
【０００７】
１実施形態では、汚れ清掃装置の清掃パッド部材は清掃パッド部材に取り付ける少なくとも１つの、好ましくは２つのスクィジー部材を有し、容器部材は単一のスクィジー部材の後ろに、または２つ以上のスクィジー部材の間に配置される。容器部材は清掃パッド部材の中にあるか、またはこれに取り付けられる。汚れ清掃装置はさらに付属部材に取り付ける接合手段を有している。
【０００８】
別の実施形態では清掃パッド部材は、凹形状の、清掃パッド部材の前方に取り付けた少なくとも１つのスクィジー部材を持つ。スクィジー部材は清掃パッド部材の上方に広がり、ごみを捕集できるように装置されている。汚れ清掃装置はさらにスクィジー部材の後続部分に、清掃パッド内の、またはこれに取り付けた容器部材を持つ。この実施形態はさらに、容器部材のあとに第２のスクィジー部材を清掃パッド部材に取り付けることもできる。
【０００９】
好ましい実施形態では、清掃パッド部材は吸収材から作られて曲げやすく、付属部材に向けて折り曲げることができ、一方の側は少なくとも１つのスクィジー部材を取り付け、反対側ではパッドは少なくとも１つの容器部材を含んでいる。汚れ清掃装置は、汚れ清掃装置をおよそ９０度の角度で折り曲げる枢動ヘッド部材の付いた付属部材に取り付けられると、容器部材を表面に接触させずにスクィジー部材の使用が可能となり、次にヘッドを回動すれば容器部材が表面に置かれて破かれ液体を放出する。
【００１０】
本発明のこれらの及びその他の目的と利点は後続の記述により明らかになる。以下の詳細な記述では、本発明の好ましい実施形態を本発明の全範囲を参照しながら述べる。もちろん、本発明は他の実施形態にも用いることができる。
【実施例】
【００１１】
図１は、清掃パッド部材１２を含み、前記清掃パッド部材１２に少なくとも１つのスクィジー部材２５と少なくとも１つの容器部材１４とが結合された汚れ清掃装置１１の１実施形態を示す。容器部材１５は汚れ清掃装置１１の清掃パッド部材１２の中にあるか、または取り付けてある。図１は通常は付属部材（又は結合部材）１７と係合している汚れ清掃装置１１を示す。付属部材１７は枢動ヘッド２１を有し、枢動ヘッド２１において汚れ清掃装置１１は位置決めされて容器部材１４を表面と接触させて破裂させ、液体としてもよい洗浄及び／または消毒用物質である容器部材の含有物２４を放出させる。図１は、清掃パッド部材１２の前方部分２９に取り付けられ清掃パッド部材１２の上方に広がる非使用時の凹形状スクィジー部材１５を示している。
【００１２】
図２、４、及び５は、通常、枢動ヘッド２１を持つ付属部材１７と係合した汚れ清掃装置１１の、図１に示したと同じ実施形態の図である。図２は通常付属部材１７と係合した汚れ清掃装置１１の正面図であり、スクィジー部分２０はほぼ表面と係合する位置にある。図４は容器部分１９が表面と係合する位置にある、通常付属部材１７と係合した汚れ清掃装置１１を示している。図５は容器部分１９が表面と係合しない位置にある、通常付属部材１７と係合した汚れ清掃装置１１の底面図である。
【００１３】
図３は汚れ清掃装置１１の、上と同じ実施形態の平面図であり、清掃パッド部材１２に取り付けた容器部材１９を示している。図３はさらに凹形状のスクィジー部材１５の平面図である。
【００１４】
図６及び７は通常付属部材１７と係合した汚れ清掃装置１１の、上と同じ実施形態の断面図である。スクィジー部材１５は円筒部分２８を有し、天然または合成ゴム材で製造できる。
【００１５】
図６は付属部材１７の枢動ヘッド２１と係合した、容器部分１９を使用中の汚れ清掃装置１１を示している。容器部分１４は表面２５と接触しているが、清掃パッド部材１２内の容器部材１４は破裂しておらず容器部材の中身２４を放出していない。図７は付属部材１７の枢動ヘッド２１と係合した、凹形状スクィジー部材１５を使用中の汚れ清掃装置１１を示している。
【００１６】
図８及び９は、別の実施形態の汚れ清掃装置２７の、２つのストラップ形状の補助手段１６が係合していない状態のそれぞれ平面図と底面図を示している。汚れ清掃装置２７の補助手段１６はベルクロ製のストラップ２３でもよい。他の実施形態の汚れ清掃装置１１と共同して用いた同じまたは類似の部品の表示には同じ参照番号を用いる。汚れ清掃装置２７は２つのスクィジー部材１５を有し、２つのスクィジー部材１５間に容器部分１９と容器部材１４とがある。清掃パッド部材１２内の容器部材１４と、スクィジー部材１５とは清掃パッド部材１２の下端に取り付けられ、清掃パッド部材１２の長さに延びている。
【００１７】
図１０及び１１は図８及び９の汚れ清掃装置２７の実施形態の、それぞれ側面図と断面図である。図１０は表面２５と係合した、容器部材１４が破裂していない汚れ清掃装置２７の側面図である。清掃パッド部材１２は吸収材及び／または不織布から構成される。２つのスクィジー部材１５が表面２５と接触しており、不使用時の補助手段１６の一実施形態を示している。図１１は汚れ清掃装置２７が付属部材１７のヘッド２２と係合した状態の断面図である。これは、容器部材１４が破裂せず容器部材の中身２４がまだ元のままであることを示している。スクィジー部材１５は表面２５と接触し、清掃パッド部材２２は表面２５と接触しないことにより固体ごみの除去が可能となる。
【００１８】
図１２及び１３は汚れ清掃装置３２の好ましい実施形態の側面図である。図１２は付属部材１７と係合した汚れ清掃装置３２を示し、スクィジー部分２０とスクィジー部材１５とが表面２５と係合している。他の実施形態の汚れ清掃装置１１、２７と共同して用いた同じまたは類似の部品の表示には同じ参照番号を用いる。容器部材１４と容器部分１９とは上方にあり表面２５と接触していない。これにより容器部材１４を破裂させることなく汚染ごみの捕集が可能となる。その後ユーザーは、いつ容器部材の中身２４を放出して表面を洗浄または消毒するかを確認することができる。
【００１９】
図１４及び１５は汚れ清掃装置３２の好ましい実施形態の平面図と断面図である。汚れ清掃装置３２は容器部材１４とスクィジー部材１５とを示している。容器部材１４は清掃パッド部材１２の中にあり、スクィジー部材１５は清掃パッド部材１２に取り付けてある。図１５は、容器部材の中身２４を容れたままの容器部材１４を示した断面図である。同様にスクィジー部材１５も清掃パッド部材１２に取り付けてある。
【００２０】
本発明はさらに、汚れ清掃装置１１、２７または３２のいずれかの実施形態を用いた単一装置により汚れと表面とを清掃する、表面２５の汚れを吸収する方法も含む。単一装置により表面２５の汚れを吸収して表面を清掃する方法は、少なくとも１つのスクィジー部材１５と少なくとも１つの容器部材１４とを具えた清掃パッド部材１２を汚れの上に配置することを含む。汚れ清掃装置１１、２７、または３２を表面２５に置き、次にスクィジー部材１５を前方にして汚れに向けて動かして全ての固体ごみを捕集し、それから清掃パッド部材１２で液体ごみを捕集する。次に清掃装置１１、２７、または３２を大まかに調整して、容器部分１９が表面２５と接触し容器部材１４が破裂して容器部材の中身２４を放出させるようにし、それから容器部分１９を用いて余分な容器部材の中身２４を集めて表面２５をきれいにする。
【００２１】
汚れ清掃装置１１、２７、または３２を用いる上述の方法では容器部材１４を含むことができ、容器部材の中身２４は洗浄及び／または消毒用液体とすることができる。容器部材はいったん汚染ごみが除去されれば、破裂時に洗浄及び／または消毒用溶液を放出し清掃パッド部材１２と共に表面２５を洗浄する。
【００２２】
先に示したように、この方法の汚れ清掃装置１１、２７、または３２は２つのスクィジー部材１５を含み、１つはスクィジー部分２０の前方に、１つは容器部分１９の前方にある。この方法は、容器部分１９の使用をスクィジー部分２０の使用とは別にさせる枢動ヘッド２１を有した付属部材１７と共に、２以上のスクィジー部材１５を用いることを含み、これにより不織材料でもよい吸収材で構成され液体ごみを捕集する清掃パッド部材１２を用いて汚染ごみを掃除することができ、またスクィジー部材１５は固体ごみを集めるように天然または合成ゴムで作ることができる。枢動ヘッド２１を回動して容器部分１９が表面２５と接触するようにすれば、容器部材１４は破裂し容器部材の中身２４が表面２５を洗浄及び／または消毒する。
【図面の簡単な説明】
【００２３】
【図１】容器部分が下にあり破裂した状態の、付属部材と係合した汚れ清掃装置の正面斜視図である。
【図２】スクィジー部分を下にした状態の、付属部材と係合した汚れ清掃装置の正面図である。
【図３】汚れ清掃装置の平面図である。
【図４】容器部分が表面と係合する位置にある、付属部材と係合した汚れ清掃装置を示す図２と同じ図である。
【図５】容器部分が下にある状態の、付属部材と係合した汚れ清掃装置の底面図である。
【図６】容器部分が下にある状態の、付属部材と係合した汚れ清掃装置の部分断面図である。
【図７】スクィジー部分が下にある状態の、付属部材と係合した汚れ清掃装置の部分断面図である。
【図８】汚れ清掃装置の別の実施形態の底面図である。
【図９】図８の実施形態の汚れ清掃装置の平面図である。
【図１０】図８の実施形態の汚れ清掃装置の側面図である。
【図１１】図８の実施形態の汚れ清掃装置の側断面図である。
【図１２】スクィジー部分が下にある状態の、付属部材と係合した好ましい実施形態の側面図である。
【図１３】容器部分が下にある状態の、付属部材と係合した好ましい実施形態の側面図である。
【図１４】付属部材を含まない好ましい実施形態の平面図である。
【図１５】図１４の線Ａでの好ましい実施形態の断面図である。
【符号の説明】
【００２４】
１１    汚れ清掃装置
１２、２２    清掃パッド部材
１４    容器部材
１５    スクィジー部材
１７    付属部材
１９    容器部分
２０    スクィジー部分
２１    枢動ヘッド
２４    容器部材含有物        
２９    前方部分
【図１】
2007518517.tif 000003
【図２】
2007518517.tif 000004
【図３】
2007518517.tif 000005
【図４】
2007518517.tif 000006
【図５】
2007518517.tif 000007
【図６】
2007518517.tif 000008
【図７】
2007518517.tif 000009
【図８】
2007518517.tif 000010
【図９】
2007518517.tif 000011
【図１０】
2007518517.tif 000012
【図１１】
2007518517.tif 000013
【図１２】
2007518517.tif 000014
【図１３】
2007518517.tif 000015
【図１４】
2007518517.tif 000016
【図１５】
2007518517.tif 000017
【国際調査報告】
2007518517.tif 000018
2007518517.tif 000019
2007518517.tif 000020